(57)【要約】      （修正有）【課題】信頼性の高い電子回路搭載ボードを提供する。【解決手段】１つのイジェクタレバー６で押し下げ可能な複数のスイッチ４，５もしくは複数のイジェクタレバー６でそれぞれ押し下げ可能な複数のスイッチ４，５の出力端が入力端に接続されたＯＲゲート３の出力端からの信号により電源が投入されるようにしたことにより、複数のスイッチ４，５のいずれかが押し下げ不十分であっても他のスイッチ４，５が十分に押し下げられるので、確実に電源が投入されて高い信頼性が得られる。【選択図】図１
2008218835.tif 000002
【特許請求の範囲】
【請求項１】
ラックに装着されてイジェクタレバーが閉じられると電源が投入される電子回路搭載ボードであって、１つのイジェクタレバーで同時に押し下げ可能な複数のスイッチの出力端が入力端に接続されたＯＲゲートの出力端からの信号により電源が投入されるようにしたことを特徴とする電子回路搭載ボード。
【請求項２】
電子回路が形成され、ラックに装着されてイジェクタレバーが閉じられると前記ラックからの電源が前記電子回路に投入される電子回路搭載ボードであって、１つのイジェクタレバーで同時に押し下げ可能な複数のスイッチと、入力端が前記各スイッチの出力端に接続され前記各スイッチからのＯＮ信号を少なくとも１つ入力すると前記電子回路への電源が投入されるための信号を発生するＯＲゲートとを備えたことを特徴とする電子回路搭載ボード。
【請求項３】
ラックに装着されてイジェクタレバーが閉じられると電源が投入される電子回路搭載ボードであって、複数のイジェクタレバーでそれぞれ押し下げ可能な複数のスイッチの出力端が入力端に接続されたＯＲゲートの出力端からの信号により電源が投入されるようにしたことを特徴とする電子回路搭載ボード。
【請求項４】
電子回路が形成され、ラックに装着されてイジェクタレバーが閉じられると前記ラックからの電源が前記電子回路に投入される電子回路搭載ボードであって、複数のイジェクタレバーにそれぞれ押し下げ可能な複数のスイッチと、入力端が前記各スイッチの出力端に接続され前記各スイッチからのＯＮ信号を少なくとも１つ入力すると前記電子回路への電源が投入されるための信号を発生するＯＲゲートとを備えたことを特徴とする電子回路搭載ボード。
【請求項５】
前記スイッチは、マイクロスイッチであることを特徴とする請求項１から４のいずれか１項記載の電子回路搭載ボード。
【請求項６】
前記電子回路搭載ボードは、ａＴＣＡ基準を満たすブレードサーバであることを特徴とする請求項１から５のいずれか１項記載の電子回路搭載ボード。
【発明の詳細な説明】
【技術分野】
【０００１】
本発明は、電子回路搭載ボードに関し、特にラックに装着される電子回路搭載ボードに関する。
【背景技術】
【０００２】
電子回路を搭載した複数のボードを１つのラックに装着することで高集積化、省スペース化を図ることが行われている。
この種のラックにはボードの挿入を検出する回路が用いられていることがある（例えば、特許文献１参照）。また、強制空冷を行うためのファンが故障したことを検出するファンアラームが用いられていることもある（例えば、特許文献２参照）。さらに、ラックやボードには多数のスイッチが設けられていることがあり、種々のスイッチ回路（例えば、特許文献３参照）や押し釦制御回路が提案されている（例えば、特許文献４参照）。
【特許文献１】特開平８−１９５５６９号公報
【特許文献２】特開平５−２８３８３号公報
【特許文献３】実開昭６１−００７１３３号公報
【特許文献４】実開昭６２−０４９３２９号公報
【発明の開示】
【発明が解決しようとする課題】
【０００３】
ところで、近年、ａＴＣＡ（advanced Telecom Computing Architecture）規格のテレコムサーバが多用されるようになってきた。このａＴＣＡ規格においては、ボードに設けられたイジェクタレバーがボードに設けられた電源スイッチを押下する機能も兼ねることが定められている。
【０００４】
しかしながら、上述した従来技術では、イジェクタレバーがスイッチを押下する特殊なａＴＣＡ規格環境下においては対応することが難しい。
【０００５】
図６（ａ）は、従来の電子回路搭載ボードの概念図であり、図６（ｂ）は、図６（ａ）に示した電子回路搭載ボードをラックのリアパネルから外した状態を示す図である。
イジェクタレバー７は、図示しないラックのリアパネル８に設けられた支点（蝶番）７ａを中心に回動可能であり、図６（ａ）に示した状態から時計方向に１８０度回動させると突起部７ａがリアパネル８の貫通孔８ａから外れる。同様にイジェクタレバー６は、支点（蝶番）６ａを中心に回動可能であり、図６（ａ）に示した状態から反時計方向に１８０度回動させると突起部６ａがリアパネル８の貫通孔８ｂから外れる。
【０００６】
従来、電子回路搭載ボードとしてのブレードサーバのリアパネル８の上下に取り付けられたイジェクタレバー６、７のうち下部イジェクタレバー６の操作によりのみスイッチ（電源スイッチ）９の押下を兼ねていた。このため、押し込み不足による電源起動不可など人為的な操作具合に左右されるトラブルが頻発し信頼性の問題が生じていた。
【０００７】
そこで、本発明の目的は、信頼性の高い電子回路搭載ボードを提供することにある。
【課題を解決するための手段】
【０００８】
上記課題を解決するため、本発明の請求項１記載の発明は、ラックに装着されてイジェクタレバーが閉じられると電源が投入される電子回路搭載ボードであって、１つのイジェクタレバーで同時に押し下げ可能な複数のスイッチの出力端が入力端に接続されたＯＲゲートの出力端からの信号により電源が投入されるようにしたことを特徴とする。
【０００９】
請求項１記載の発明によれば、１つのイジェクタレバーで同時に押し下げ可能な複数のスイッチの出力端が入力端に接続されたＯＲゲートの出力端からの信号により電源が投入されるようにしたことにより、複数のスイッチのいずれかが押し下げ不十分であっても他のスイッチが十分に押し下げられるので、確実に電源が投入されて高い信頼性が得られる。
【００１０】
請求項２記載の発明は、電子回路が形成され、ラックに装着されてイジェクタレバーが閉じられると前記ラックからの電源が前記電子回路に投入される電子回路搭載ボードであって、１つのイジェクタレバーで同時に押し下げ可能な複数のスイッチと、入力端が前記各スイッチの出力端に接続され前記各スイッチからのＯＮ信号を少なくとも１つ入力すると前記電子回路への電源が投入されるための信号を発生するＯＲゲートとを備えたことを特徴とする。
【００１１】
請求項２記載の発明によれば、１つのイジェクタレバーで同時に押し下げ可能な複数のスイッチと、入力端が各スイッチの出力端に接続され各スイッチからのＯＮ信号を少なくとも１つ入力すると電子回路への電源が投入されるための信号を発生するＯＲゲートとを備えたことにより、複数のスイッチのいずれかが押し下げ不十分であっても他のスイッチが十分に押し下げられるので、確実に電源が投入されて高い信頼性が得られる。
【００１２】
請求項３記載の発明は、ラックに装着されてイジェクタレバーが閉じられると電源が投入される電子回路搭載ボードであって、複数のイジェクタレバーでそれぞれ押し下げ可能な複数のスイッチの出力端が入力端に接続されたＯＲゲートの出力端からの信号により電源が投入されるようにしたことを特徴とする。
【００１３】
請求項３記載の発明によれば、複数のイジェクタレバーでそれぞれ押し下げ可能な複数のスイッチの出力端が入力端に接続されたＯＲゲートの出力端からの信号により電源が投入されるようにしたことにより、複数のスイッチのいずれかが押し下げ不十分であっても他のスイッチが十分に押し下げられるので、確実に電源が投入されて高い信頼性が得られる。
【００１４】
請求項４記載の発明は、電子回路が形成され、ラックに装着されてイジェクタレバーが閉じられると前記ラックからの電源が前記電子回路に投入される電子回路搭載ボードであって、複数のイジェクタレバーにそれぞれ押し下げ可能な複数のスイッチと、入力端が前記各スイッチの出力端に接続され前記各スイッチからのＯＮ信号を少なくとも１つ入力すると前記電子回路への電源が投入されるための信号を発生するＯＲゲートとを備えたことを特徴とする。
【００１５】
請求項４記載の発明によれば、複数のイジェクタレバーにそれぞれ押し下げ可能な複数のスイッチと、入力端が各スイッチの出力端に接続され各スイッチからのＯＮ信号を少なくとも１つ入力すると電子回路への電源が投入されるための信号を発生するＯＲゲートとを備えたことにより、複数のスイッチのいずれかが押し下げ不十分であっても他のスイッチが十分に押し下げられるので、確実に電源が投入されて高い信頼性が得られる。
【００１６】
請求項５記載の発明は、請求項１から４のいずれか１項記載の発明において、前記スイッチは、マイクロスイッチであることを特徴とする。
【００１７】
請求項５記載の発明によれば、スイッチは、マイクロスイッチであることにより、入手が容易であり低コスト化を図ることができる。
【００１８】
請求項６記載の発明は、請求項１から５のいずれか１項記載の発明において、前記電子回路搭載ボードは、ａＴＣＡ基準を満たすブレードサーバであることを特徴とする。
【００１９】
請求項６記載の発明によれば、電子回路搭載ボードは、ａＴＣＡ基準を満たすブレードサーバであることにより、高集積化及び省スペース化を図ることができる。
【発明の効果】
【００２０】
本発明によれば、１つのイジェクタレバーで押し下げ可能な複数のスイッチもしくは複数のイジェクタレバーでそれぞれ押し下げ可能な複数のスイッチの出力端が入力端に接続されたＯＲゲートの出力端からの信号により電源が投入されるようにしたことにより、複数のスイッチのいずれかが押し下げ不十分であっても他のスイッチが十分に押し下げられるので、確実に電源が投入されて高い信頼性が得られる。
【発明を実施するための最良の形態】
【００２１】
本発明による電源スイッチの二重化構造にて、ａＴＣＡ基準を満たすブレードサーバにおけるイジェクタレバーの開閉による電源スイッチの押下動作に品質的な安定を図ることを特徴とするものである。
【００２２】
本発明に係る電子回路搭載ボードの一実施の形態は、ラックに装着されてイジェクタレバーが閉じられると電源が投入される電子回路搭載ボードであって、１つのイジェクタレバーで押し下げ可能な複数のスイッチの出力端が入力端に接続されたＯＲゲートの出力端からの信号により電源が投入されるようにしたことを特徴とする。
【００２３】
電子回路としてはＣＰＵ、ＲＡＭ、ＲＯＭ、ＨＤＤ、Ｉ／Ｆ、ＬＥＤ、バスライン等が挙げられる。
ＯＲゲートの代わりにＮＯＲゲートとインバータゲートとを組み合わせたゲートを用いてもよい。
イジェクタレバーは、支点がラックのリアパネルに設けられ、支点を中心に回動自在なレバーと、レバーの途中に形成され閉じたときにスイッチを押し下げる突起部とで構成されている。イジェクタレバーの材質は例えば、プラスチックが挙げられるが金属でもよい。
【００２４】
本発明に係る電子回路搭載ボードの他の実施の形態は、電子回路が形成され、ラックに装着されてイジェクタレバーが閉じられるとラックからの電源が電子回路に投入される電子回路搭載ボードであって、１つのイジェクタレバーで押し下げ可能な複数のスイッチと、入力端が各スイッチの出力端に接続され各スイッチからのＯＮ信号を少なくとも１つ入力すると電子回路への電源が投入されるための信号を発生するＯＲゲートとを備えたことを特徴とする。
この場合、イジェクタレバーは、複数のスイッチを同時に押し下げることができるように突起部の面積が複数のスイッチの押し下げ部の面積よりも大きいことが必要である。
【００２５】
本発明に係る電子回路搭載ボードの他の実施の形態は、ラックに装着されてイジェクタレバーが閉じられると電源が投入される電子回路搭載ボードであって、複数のイジェクタレバーでそれぞれ押し下げ可能な複数のスイッチの出力端が入力端に接続されたＯＲゲートの出力端からの信号により電源が投入されるようにしたことを特徴とする。
【００２６】
本発明に係る電子回路搭載ボードの他の実施の形態は、電子回路が形成され、ラックに装着されてイジェクタレバーが閉じられるとラックからの電源が電子回路に投入される電子回路搭載ボードであって、複数のイジェクタレバーにそれぞれ押し下げ可能な複数のスイッチと、入力端が各スイッチの出力端に接続され各スイッチからのＯＮ信号を少なくとも１つ入力すると電子回路への電源が投入されるための信号を発生するＯＲゲートとを備えたことを特徴とする。
【００２７】
本発明に係る電子回路搭載ボードの他の実施の形態は、上記構成に加え、スイッチは、マイクロスイッチであることを特徴とする。
【００２８】
本発明に係る電子回路搭載ボードの他の実施の形態は、上記構成に加え、電子回路搭載ボードは、ａＴＣＡ基準を満たすブレードサーバであることを特徴とする。
【００２９】
なお、上述した実施の形態は、本発明の好適な実施の形態の一例を示すものであり、本発明はそれに限定されることなく、その要旨を逸脱しない範囲内において、種々変形実施が可能である。
【実施例１】
【００３０】
次に本発明の一実施例について説明する。
図１は、本発明に係る電子回路搭載ボードの一実施例を示すブロック図である。
同図において、ボード１上に２つのスイッチ４、５を設け、イジェクタレバー６の押下過程で動作するスイッチ１（４）及びスイッチ２（５）を配置する。スイッチ１（４）及びスイッチ２（５）としては例えば、マイクロスイッチが挙げられる。
それぞれのスイッチ１（４）、スイッチ２（５）から出力されるＯＮ／ＯＦＦ信号はＯＲゲート３に入力されて、電源制御部２０へ伝達される。この伝達により、イジェクタレバー６による操作での電源ＯＮ／ＯＦＦの誤動作を防止できる。また、構造設計も容易となることから運用時の誤操作を救済させる効果も発揮できる。
【００３１】
なお、電源制御部２０は、図示しないラックのＢＰ（バックパネル）接続が専用コネクタにより行われると、例えば−４８Ｖ（直流）のスタンバイ供給を受けるように制御する。このスタンバイ電源がボード１上の回路により起動に必要な各部品の電圧に変換される。そして電源投入シーケンスがプログラムされたＶＲＡＭにてスイッチＯＮ信号を確認し起動をかけるようになっている。
【００３２】
図２（ａ）は、図１に示した電子回路搭載ボードの具体的な模式図であり、図２（ｂ）は、図２（ａ）のイジェクタレバー近傍の部分拡大図である。
図２（ａ）、（ｂ）を参照すると、電子回路搭載ボードとしてのブレードボード１上に２つのスイッチ１（４）、スイッチ２（５）を、下部イジェクタレバー６の押下過程（ボード１側への押し下げ）で同時に動作するように配置する。すなわち、両スイッチ１（４）、２（５）として用いられるマイクロスイッチを並列に配置し、かつ両アクチュエータが下部イジェクタレバー６の突起部６ｃにより押し下げられるように配置する。
【００３３】
下部イジェクタレバー６は、図示しないラックのリアパネル（ａＴＣＡ環境ではフロントパネルとなる。）８に設けられた支点（蝶番）６ａと、支点６ａに回動自在に設けられたレバー６ｂと、レバー６ｂの途中に設けられ、閉じたときにスイッチ１（４）及びスイッチ２（５）を同時に押し下げる突起部６ｃとで構成されている。
【００３４】
上部イジェクタレバー７は、図示しないラックのリアパネル（同上）に設けられた支点（蝶番）７ａと、支点７ａに回動自在に設けられたレバー７ｂとで構成されている。
【００３５】
それぞれのスイッチ１（４）、スイッチ２（５）から出力されるＯＮ／ＯＦＦ信号はＯＲゲート３に入力されて、図には示されない電源制御部へ伝達される。この伝達により、イジェクタレバー６、７による電源オフオン操作での電源ＯＮ／ＯＦＦの誤動作を防止できる。また、構造設計も容易となることから運用時の誤操作を救済させる効果も発揮できる。
【００３６】
次に、図１に示した回路の動作について、図３を参照して説明する。
図３は、本発明に係る電子回路搭載ボードの動作を示すフローチャートの一例である。
スイッチ１（４）とスイッチ２（５）とは、ともに同一イジェクタレバー６の操作によるスイッチ押下を受ける。スイッチ１（４）及びスイッチ２（５）からのオン信号は、ＯＲゲート３によりいずれの信号伝達に不備があっても、電源制御部２へオン信号を送るようになっている。
【００３７】
すなわち、下部イジェクタレバーが操作（押し下げ）されると（ステップＳ１）、スイッチ１（４）の押し下げが有ったか否かが判断され（ステップＳ２）、押し下げが有ったと判断された場合（ステップＳ２／ＹＥＳ）にはスイッチ１（４）からＯＮ信号が発生され（ステップＳ３）、スイッチ２（５）の押し下げが有ったか否かが判断され（ステップＳ４）、押し下げが有ったと判断された場合（ステップＳ４／ＹＥＳ）にはスイッチ２（５）からＯＮ信号が発生され（ステップＳ３）、ＯＲゲート３の少なくとも一方の入力が１論理レベルか否かが判断され（ステップＳ６）、ＯＲゲート３の少なくとも一方の入力が１論理レベルであると判断された場合（ステップＳ６／ＹＥＳ）、ＯＮ信号がＯＲゲート３から電源制御部２に伝達され（ステップＳ７）、電源制御部２で電源ＯＮ動作が行われる（ステップＳ８）。
【００３８】
スイッチ１（４）の押し下げが無いと判断された場合（ステップＳ２／ＮＯ）、スイッチ２（５）の押し下げが無いと判断された場合（ステップＳ４／ＮＯ）、及びＯＲゲートのいずれの入力も１論理レベルでない（０論理レベル）と判断された場合（ステップＳ６／ＮＯ）には終了する。
【００３９】
以上において、スイッチ１とスイッチ２の位置が、下のイジェクタレバー６の操作を受ける箇所にある。これにより、片側のスイッチ押下に不備があっても、ボード１の電源オン信号はＯＲゲート３によって電源制御部２へ伝えられ、電源オンオフ制御の安定動作が可能となる。また、電源オフは両イジェクタの操作を必要とすることから、運用中の誤操作による電源オフを防止できる。
【実施例２】
【００４０】
次に本発明の他の実施例について説明する。
図４は、本発明に係る電子回路搭載ボードの他の実施例を示すブロック図である。
図４に示す実施例と図１に示した実施例との相違点は、上下のイジェクタレバーそれぞれにスイッチを配置した点である。
【００４１】
図４において、電子回路搭載ボードとしてのブレードボード１上に上端にスイッチ１（４）を配置し下端にスイッチ２（５）を配置し、上部イジェクタレバー７の押し下げ過程（ボード１側への押し下げ）でスイッチ１（４）が動作し、下部イジェクタレバー６の押下過程（ボード１側への押し下げ）でスイッチ２（５）が動作するように配置する。
【００４２】
それぞれのスイッチ１（４）、スイッチ２（５）から出力されるＯＮ／ＯＦＦ信号はＯＲゲート３に入力されて、図には示されない電源制御部へ伝達される。この伝達により、イジェクタレバー６、７による電源オフオン操作での電源ＯＮ／ＯＦＦの誤動作を防止できる。また、構造設計も容易となることから運用時の誤操作を救済させる効果も発揮できる。
【００４３】
次に、図４に示した回路の動作について、図５を参照して説明する。
図５は、本発明に係る電子回路搭載ボードの動作を示すフローチャートの他の一例である。
上部イジェクタレバーが操作（押し下げ）されると（ステップＳ１０）、スイッチ１（４）の押し下げが有ったか否かが判断され（ステップＳ１１）、押し下げが有ったと判断された場合（ステップＳ１１／ＹＥＳ）にはスイッチ１（４）からＯＮ信号が発生され（ステップＳ１２）、下部イジェクタレバーが操作（押し下げ）されると（ステップＳ１３）、スイッチ２（５）の押し下げが有ったか否かが判断され（ステップＳ１４）、押し下げが有ったと判断された場合（ステップＳ１４／ＹＥＳ）にはスイッチ２（５）からＯＮ信号が発生され（ステップＳ１５）、ＯＲゲート３の少なくとも一方の入力が１論理レベルか否かが判断され（ステップＳ１６）、ＯＲゲート３の少なくとも一方の入力が１論理レベルであると判断された場合（ステップＳ１６／ＹＥＳ）、ＯＮ信号がＯＲゲート３から電源制御部２に伝達され（ステップＳ１７）、電源制御部２で電源ＯＮ動作が行われる（ステップＳ１８）。
【００４４】
スイッチ１（４）の押し下げが無いと判断された場合（ステップＳ１１／ＮＯ）、スイッチ２（５）の押し下げが無いと判断された場合（ステップＳ１４／ＮＯ）、及びＯＲゲートのいずれの入力も１論理レベルでない（０論理レベル）と判断された場合（ステップＳ１６／ＮＯ）は終了する。
【００４５】
すなわち、スイッチ１（４）及びスイッチ２（５）の位置が、上下両イジェクタレバー６、７の操作を受ける箇所にある。これにより、片側のスイッチ押下に不備があっても、ボード１の電源オン信号はＯＲゲート３によって電源制御部２へ伝えられ、電源オンオフ制御の安定動作が可能となる。また、電源オフは両イジェクタレバー６、７の操作を必要とすることから、運用中の誤操作による電源オフを防止できる。
【００４６】
〔効果の説明〕
第１の効果は、イジェクタが電源スイッチを押さなければならないａＴＣＡ規格のボードにおいて、電源オンオフ制御が安定して行われる。
【００４７】
第２の効果は、イジェクタとスイッチとの間の設計／製造クリアランスにおいては高度な精度が求められる他、このクリアランスが緩和できるため原価低減が見込める。
【００４８】
第３の効果は、運用中に振動などの外部要因を受けても意図しない電源オフを防止でき、安定稼動が見込める。
【産業上の利用可能性】
【００４９】
本発明は、操作者によるイジェクタ機構からの電源スイッチ動作に対する電源オンオフを制御する用途に利用できる。
【図面の簡単な説明】
【００５０】
【図１】本発明に係る電子回路搭載ボードの一実施例を示すブロック図である。
【図２】（ａ）は、図１に示した電子回路搭載ボードの具体的な模式図であり、（ｂ）は、（ａ）のイジェクタレバー近傍の部分拡大図である。
【図３】本発明に係る電子回路搭載ボードの動作を示すフローチャートの一例である。
【図４】本発明に係る電子回路搭載ボードの他の実施例を示すブロック図である。
【図５】本発明に係る電子回路搭載ボードの動作を示すフローチャートの他の一例である。
【図６】（ａ）は、従来の電子回路搭載ボードの概念図であり、（ｂ）は、（ａ）に示した電子回路搭載ボードをラックのリアパネルから外した状態を示す図である。
【符号の説明】
【００５１】
１    ボード
２    電源制御部
３    ＯＲゲート
４    スイッチ１
５    スイッチ２
６、７    イジェクタレバー
【図１】
2008218835.tif 000003
【図２】
2008218835.tif 000004
【図３】
2008218835.tif 000005
【図４】
2008218835.tif 000006
【図５】
2008218835.tif 000007
【図６】
2008218835.tif 000008